【手続補正書】
【提出日】令和2年7月9日(2020.7.9)
【手続補正１】
【補正対象書類名】特許請求の範囲
【補正対象項目名】全文
【補正方法】変更
【補正の内容】
【特許請求の範囲】
【請求項１】
姿勢及び深呼吸を改善するためのシステムであって：
センサー装置；
１又は複数のユーザー装置上で作動するように構成される姿勢及び呼吸改善ソフトウェアプログラム；
を含み、
前記姿勢及び呼吸改善ソフトウェアプログラムは、呼吸動的グラフィカルユーザーインターフェースを含み；
前記呼吸動的グラフィカルユーザーインターフェースは、前記１又は複数のユーザー装置上に表示され；
前記呼吸動的グラフィカルユーザーインターフェースは、最適呼気吸気グラフィック及び実際の動く動的呼吸グラフィックを含み；
前記実際の動く動的呼吸グラフィックは、ユーザーが視覚的に横隔膜呼吸をモニタリングすることができるように、拡大及び縮小し；
前記センサー装置は：１又は複数のセンサー；無線通信装置；及び筐体を含み；
前記センサー装置は、前記ユーザーの近傍に配置されるように構成され；
前記無線通信装置は、前記センサー装置が前記姿勢及び呼吸改善ソフトウェアプログラムと通信状態となるように、前記１又は複数のユーザー装置と通信するように構成され；
前記１又は複数のセンサーは、前記ユーザーによる１又は複数の動きを検出及び測定して、複数のセンサーデータを作成し；
前記無線通信装置は、前記複数のセンサーデータを前記１又は複数のユーザー装置に送信し；並びに
前記複数のセンサーデータの前記検出、測定、及び送信により、前記１又は複数のユーザー装置は、前記ユーザーが自身の横隔膜呼吸をモニタリングできるようにする
システム。
【請求項２】
前記実際の動く動的呼吸グラフィック及び前記最適呼気吸気グラフィックが、それぞれ、広がるドット及び円形である請求項１に記載のシステム。
【請求項３】
前記最適呼気吸気グラフィックが、前記実際の動く動的呼吸グラフィックの拡大目標である請求項１に記載のシステム。
【請求項４】
前記最適呼気吸気グラフィックが、前記実際の動く動的呼吸グラフィックの動く拡大目標である請求項１に記載のシステム。
【請求項５】
前記最適呼気吸気グラフィックが、広がる動く動的円形であり、前記ユーザーが前記実際の動く動的呼吸グラフィックを介して一致させて従うように試みる目標である請求項１に記載のシステム。
【請求項６】
前記複数のセンサーデータの前記検出、測定、及び送信により、前記１又は複数のユーザー装置は、前記ユーザーが自身の横隔膜呼吸をモニタリングできるようにする請求項１に記載のシステム。
【請求項７】
前記筐体が、銅コイルを含み、前記銅コイルは、前記センサー装置の無線充電を可能とするように構成される請求項１に記載のシステム。
【請求項８】
前記銅コイルが、ａ）前記センサー装置から発生する電磁放射線から前記ユーザーを保護し、及びｂ）無線通信を前記ユーザーから離れるように指向するように構成される請求項７に記載のシステム。
【請求項９】
前記筐体が、凹型の傾斜部を含む請求項８に記載のシステム。
【請求項１０】
前記姿勢及び呼吸改善ソフトウェアプログラムが、姿勢改善システムインターフェースをさらに含み；
前記姿勢改善システムインターフェースは、前記１又は複数のユーザー装置上で前記ユーザーに表示され；
前記姿勢改善ソフトウェアプログラムは、前記ユーザーに関する情報を収集するように構成され；
前記姿勢及び呼吸改善ソフトウェアプログラムは、前記センサー装置によって通信されたデータ及び前記ユーザーに関する前記収集された情報に基づいて、前記ユーザーに対する１又は複数の最適姿勢位置を算出する請求項１に記載のシステム。
【請求項１１】
前記姿勢及び呼吸改善ソフトウェアプログラムが、前記１又は複数の最適姿勢位置のうちの少なくとも１つと前記ユーザーとの一致をモニタリングし；
前記姿勢改善システムインターフェースは、前記一致を表示するように構成され；並びに
前記姿勢及び呼吸改善ソフトウェアプログラムは、１又は複数の不一致を検出して、前記ユーザーに通知し、それによって、前記ユーザーは、前記１又は複数の最適姿勢位置のうちの前記少なくとも１つを維持するように注意喚起される請求項１０に記載のシステム。
【請求項１２】
前記１又は複数の最適姿勢位置のうちの前記少なくとも１つと前記ユーザーとの前記一致の前記表示が、ピクトグラフ標的及び標的ボールを介して表される請求項１１に記載のシステム。
【請求項１３】
前記ユーザーが前記１又は複数の最適姿勢位置のうちの前記少なくとも１つとの前記一致した状態である場合、前記姿勢標的ボールが、実質的に前記標的の中心内にある請求項１２に記載のシステム。
【請求項１４】
前記ユーザーが前記１又は複数の最適姿勢位置のうちの前記少なくとも１つを維持できない場合、前記姿勢標的ボールが、実質的に前記標的の前記中心内にはなく、前記姿勢改善システムインターフェースが、前記ユーザーに前記１又は複数の不一致を通知する請求項１３に記載のシステム。
【請求項１５】
前記ユーザーが前記１又は複数の最適姿勢位置のうちの前記少なくとも１つを維持できない場合、前記ユーザー装置が、前記ユーザーが前記不一致を修正するまで、実質的に機能停止状態である請求項１４に記載のシステム。
【請求項１６】
前記センサー装置が、メモリユニットをさらに含み；
前記メモリユニットは、前記複数のセンサーデータを記憶する請求項１５に記載のシステム。
【請求項１７】
前記１又は複数のセンサーが：１又は複数の加速度計及び１又は複数のジャイロスコープを含む請求項１６に記載のシステム。
【請求項１８】
前記１又は複数の加速度計が、３つの三軸加速度計を含み、及び前記１又は複数のジャイロスコープが、３つの三軸レートジャイロスコープを含む請求項１７に記載のシステム。
【請求項１９】
姿勢及び深呼吸を改善するためのシステムであって：
センサー装置；
１又は複数のユーザー装置上で作動するように構成される姿勢及び呼吸改善ソフトウェアプログラム；
を含み、
前記姿勢及び呼吸改善ソフトウェアプログラムは、呼吸動的グラフィカルユーザーインターフェース及び姿勢改善システムインターフェースを含み；
前記呼吸動的グラフィカルユーザーインターフェースは、前記１又は複数のユーザー装置上に表示され；
前記呼吸動的グラフィカルユーザーインターフェースは、最適呼気吸気グラフィック及び実際の動く動的呼吸グラフィックを含み；
前記実際の動く動的呼吸グラフィックは、ユーザーが横隔膜呼吸をモニタリングすることができるように、拡大及び縮小し；
前記姿勢改善システムインターフェースは、前記１又は複数のユーザー装置上で前記ユーザーに表示され；
前記センサー装置は：１又は複数のセンサー；無線通信装置；及び筐体を含み；
前記筐体は、銅コイルを含み；
前記銅コイルは、前記センサー装置の無線充電を可能とし；
前記銅コイルは、前記センサー装置から発生する電磁放射線から前記ユーザーを保護するように構成され；
前記銅コイルは、無線通信を前記ユーザーから離れるように指向し；
前記センサー装置は、ユーザーの近傍に配置されるように構成され；
前記無線通信装置は、前記センサー装置が前記姿勢及び呼吸改善ソフトウェアプログラムと通信状態となるように、前記１又は複数のユーザー装置と通信するように構成され；
前記１又は複数のセンサーは、前記ユーザーによる１又は複数の動きを検出及び測定して、複数のセンサーデータを作成し；
前記無線通信装置は、前記複数のセンサーデータを前記１又は複数のユーザー装置に送信し；
前記複数のセンサーデータの前記検出、測定、及び送信により、前記１又は複数のユーザー装置は、前記ユーザーが自身の横隔膜呼吸をモニタリングできるようにし；
前記姿勢改善ソフトウェアプログラムは、前記ユーザーに関する情報を収集するように構成され；
前記姿勢及び呼吸改善ソフトウェアプログラムは、前記センサー装置によって通信されたデータ及び前記ユーザーに関する前記収集された情報に基づいて、前記ユーザーに対する１又は複数の最適姿勢位置を算出し；
前記姿勢及び呼吸改善ソフトウェアプログラムは、前記１又は複数の最適姿勢位置のうちの少なくとも１つと前記ユーザーとの一致をモニタリングし；
前記姿勢改善システムインターフェースは、前記一致を表示するように構成され；並びに
前記姿勢及び呼吸改善ソフトウェアプログラムは、１又は複数の不一致を検出して、前記ユーザーに通知し、それによって、前記ユーザーは、前記１又は複数の最適姿勢位置のうちの前記少なくとも１つを維持するように注意喚起されるシステム。
【請求項２０】
前記筐体が、凹型の傾斜部を含む請求項１９に記載のシステム。